(57)【要約】      （修正有）【課題】自然に沈降してくる大気中のパーティクルの有無や量を測定するようにした大気環境情報報知装置において、蓋体がセンサの検出空間入口の一部を覆っている不十分な測定環境状態の場合はスイッチが動作せず、検出空間の入口が全開した十分な測定環境状態のときにスイッチが動作して、センサでの正確な測定が行えるようにする。【解決手段】本装置は、蓋体２の開蓋動作によってセンサ３の検出空間入口である開口部３３が全開し、蓋体の後端部２ｂが凸型ボタン６ａを押すことでＯＮとなるスイッチ部６を備える。センサは、凸型ボタンが押されている間だけ、開口部より侵入したパーティクルを検知してパーティクル量の測定を実施する。測定したパーティクル量に基づいて所定の環境指標値を算出すると共に、該環境指標値に基づいて環境報知情報を決定し、該環境報知情報に応じた報知を行う。【選択図】図２
2014228309.tif 000002
【特許請求の範囲】
【請求項１】
自然に沈降してくる大気中のパーティクルを取り込むために鉛直方向上向きに開口する取入れ口を有する筐体と、
前記取入れ口に相当する位置に開口部を備え、該開口部より侵入したパーティクルを検知するセンサと、
前記筐体の取入れ口の開閉を行う蓋体と、
経過時間を計測する計時手段と、
前記センサで検知されたパーティクル量に基づいて算出される環境指標値に応じた環境報知情報を記憶する環境報知情報記憶手段と、
前記パーティクル量の測定実行の指示を受け付けるスイッチ手段と、
前記スイッチ手段が測定実行の指示を受け付けたとき、前記センサでのパーティクル量の測定を実施し、前記センサで測定したパーティクル量に基づいて所定の環境指標値を算出し、さらに、当該環境指標値に基づき、前記環境報知情報記憶手段を参照して環境報知情報を特定する制御手段と、
前記制御手段で決定した環境報知情報に応じた報知を行う報知手段と、
を少なくとも備え、
前記スイッチ手段は、前記蓋体の開蓋動作により前記取入れ口を介して前記センサの開口部が全開したときに測定実行の指示を受け付け、前記計時手段で計測した一定時間ごとに前記センサでの測定を継続的に実施するものである、
ことを特徴とする大気環境情報報知装置。
【請求項２】
前記蓋体は、前記取入れ口の上面に沿う方向に移動するスライド式であり、
前記スイッチ手段は、前記蓋体の開蓋動作によって該蓋体が前記センサの開口部を覆うことなく全開したときに、その後端部によって測定実行の指示を受け付けるものであることを特徴とする請求項１に記載の大気環境情報報知装置。
【請求項３】
前記蓋体は、前記取入れ口の上面に沿う方向に回転軸を有する回動式であり、
前記スイッチ手段は、前記蓋体の開蓋動作によって該蓋体が前記センサの開口部の上方を遮ることなく全開したときに、その後端部によって測定実行の指示を受け付けるものであることを特徴とする請求項１に記載の大気環境情報報知装置。
【請求項４】
前記スイッチ手段は、押圧することで引っ込み、該押圧を解除することで突出する自動復帰型の凸型ボタンを有し、前記蓋体の後端部が前記凸型ボタンを押している間だけＯＮとなり、該後端部が前記凸型ボタンを押すのを止めるとＯＦＦになる押しボタンスイッチであることを特徴とする請求項２又は３に記載の大気環境情報報知装置。
【請求項５】
前記報知手段は、決定した環境報知情報に応じて色彩及び／又は報知数が変化する発光器であることを特徴とする請求項１乃至４の何れか１項に記載の大気環境情報報知装置。
【請求項６】
前記報知手段は、算出した環境指標値が一定の値を超えたときに発鳴する警報器であることを特徴とする請求項１乃至４の何れか１項に記載の大気環境情報報知装置。
【請求項７】
前記スイッチ手段が測定実行の指示を受け付けているとき、計測している経過時間を初期状態に戻して経過時間の計測をやり直すリセットスイッチ手段をさらに備えることを特徴とする請求項１乃至６の何れか１項に記載の大気環境情報報知装置。
【請求項８】
前記センサの開口部より侵入したパーティクルを飛散させる風力発生手段をさらに備えることを特徴とする請求項１乃至７の何れか１項に記載の大気環境情報報知装置。
【請求項９】
前記風力発生手段は、前記蓋体を開蓋したときに折り畳まれ、前記蓋体を閉蓋したときに折畳み状態が解除されて伸張する弾性フィンであることを特徴とする請求項８に記載の大気環境情報報知装置。
【発明の詳細な説明】
【技術分野】
【０００１】
本発明は、大気中の汚れの度合いを知らせてくれる大気環境情報報知装置に係り、詳しくは、大気中に存在する細かい粒子の量を測定し、今居る室内の環境状況を指標化して所望のタイミングで効果的に確認することができるようにした装置に関する。
【背景技術】
【０００２】
室内において、日常的に空気中に浮遊しているタバコの煙（０．０１〜１．０μｍ）や、花粉（１０〜１００μｍ）、ハウスダスト（１０〜１００μｍ）、ペットの羽毛（５０μｍ）、ダニの死骸（５０〜１００μｍ）などの細かい粒子（以下、単に「パーティクル」という。）は、アレルギーやぜんそく等の原因となる虞を有するものである。ゆえに、これらのパーティクルの有無や量を測定することで、花粉症やアレルギー性鼻炎、気管支喘息、アトピー性皮膚炎、等のアレルギー（性）疾患が発症し易い環境であるか否かといった、周囲の環境の適否を判断することができる。
【０００３】
また、パーティクルの有無や量の測定は、たとえば、光学式のダストセンサを用いることで行うことができる。このダストセンサは、光を放射する発光素子と、光を受ける受光素子とを、それぞれの光軸が交差する形で筐体内に配置し、発光素子から空気が侵入する検出空間に向けて発せられ、パーティクルで反射した光（散乱光）を受光素子にて受光することによりパーティクル数を検知（カウント）するものである。
【０００４】
このようなダストセンサ（光散乱式粒子検知センサ）では、パーティクルが侵入する検出空間の入口は筐体の側壁面、すなわち、水平方向に設けられており、検出空間の入口は常時開放されたものとなっているのが一般的である（たとえば、特許文献１，２を参照）。ところが、検出空間の入口が水平方向に設けられていると、自然に沈降してくる室内のパーティクルの有無や量を測定し、室内の環境状況の適否を判断することができない。ゆえに、自然に沈降してくる室内のパーティクルの有無や量を測定する場合、検出空間の入口は鉛直方向上向きに設ける必要がある。
【０００５】
また、検出空間の入口を鉛直方向に設けるようにしたものも知られているが、検出空間の入口が常時開放されたものあると、検出空間へ異物が侵入したり、パーティクルが溜まったりし易く、不使用（非測定）時に侵入したり、溜まったりしたパーティクル等によって正確な測定が害われる虞がある。
【０００６】
また、検出空間の入口を鉛直方向に設けた装置において、測定時以外にパーティクルが検出空間内へ侵入しないように、検出空間の入口を閉塞可能とした蓋体を設けることが考えられるが、この場合、蓋体が検出空間の入口の一部を覆ってしまった不十分な測定環境状態であっても、測定を実行するスイッチが入力されることでそのまま測定が実行されてしまう虞があり、正確な測定が行われないことがある。
【先行技術文献】
【特許文献】
【０００７】
【特許文献１】特許第２５３３６８７号公報
【特許文献２】実用新案登録第２５０５２８２号公報
【発明の概要】
【発明が解決しようとする課題】
【０００８】
本発明は、上記事情に鑑みて成されたものであり、自然に沈降してくる室内のパーティクルの有無や量を測定するようにした大気環境情報報知装置であって、不使用（非測定）時に検出空間内にパーティクルが溜まってしまうことがないと共に、蓋体が検出空間の入口の一部を覆っている不十分な測定環境状態の場合はスイッチが動作せず、検出空間の入口が全開した十分な測定環境状態となったときにスイッチが動作して、センサでの正確な測定が行えるようにすることを目的とする。
【課題を解決するための手段】
【０００９】
本発明に係る大気環境情報報知装置は、自然に沈降してくる大気中のパーティクルを取り込むために鉛直方向上向きに開口する取入れ口を有する筐体と、前記取入れ口に相当する位置に開口部を備え、該開口部より侵入したパーティクルを検知するセンサと、前記筐体の取入れ口の開閉を行う蓋体と、経過時間を計測する計時手段と、前記センサで検知されたパーティクル量に基づいて算出される環境指標値に応じた環境報知情報を記憶する環境報知情報記憶手段と、前記パーティクル量の測定実行の指示を受け付けるスイッチ手段と、前記スイッチ手段が測定実行の指示を受け付けたとき、前記センサでのパーティクル量の測定を実施し、前記センサで測定したパーティクル量に基づいて所定の環境指標値を算出し、さらに、当該環境指標値に基づき、前記環境報知情報記憶手段を参照して環境報知情報を特定する制御手段と、前記制御手段で決定した環境報知情報に応じた報知を行う報知手段とを少なくとも備え、前記スイッチ手段は、前記蓋体の開蓋動作により前記取入れ口を介して前記センサの開口部が全開したときに測定実行の指示を受け付け、前記計時手段で計測した一定時間ごとに前記センサでの測定を継続的に実施するものであることを特徴とする。
【００１０】
また、本発明の大気環境情報報知装置において、前記蓋体は、前記取入れ口の上面に沿う方向に移動するスライド式であり、前記スイッチ手段は、前記蓋体の開蓋動作によって該蓋体が前記センサの開口部を覆うことなく全開したときに、その後端部によって測定実行の指示を受け付けるものとすることができる。
【００１１】
また、本発明の大気環境情報報知装置において、前記蓋体は、前記取入れ口の上面に沿う方向に回転軸を有する回動式であり、前記スイッチ手段は、前記蓋体の開蓋動作によって該蓋体が前記センサの開口部の上方を遮ることなく全開したときに、その後端部によって測定実行の指示を受け付けるものとすることもできる。
【００１２】
また、本発明の大気環境情報報知装置において、前記スイッチ手段は、押圧することで引っ込み、該押圧を解除することで突出する自動復帰型の凸型ボタンを有し、前記蓋体の後端部が前記凸型ボタンを押している間だけＯＮとなり、該後端部が前記凸型ボタンを押すのを止めるとＯＦＦになる押しボタンスイッチとすることができる。
【００１３】
また、本発明の大気環境情報報知装置において、前記報知手段は、決定した環境報知情報に応じて色彩及び／又は報知数が変化する発光器とすることができる。
【００１４】
また、本発明の大気環境情報報知装置において、前記報知手段は、算出した環境指標値が一定の値を超えたときに発鳴する警報器とすることができる。
【００１５】
また、本発明の大気環境情報報知装置は、前記スイッチ手段が測定実行の指示を受け付けているとき、計測している経過時間を初期状態に戻して経過時間の計測をやり直すリセットスイッチ手段をさらに備えるものとすることができる。
【００１６】
さらに、本発明の大気環境情報報知装置は、前記センサの開口部より侵入したパーティクルを飛散させる風力発生手段をさらに備えるものとすることができる。
前記風力発生手段としては、前記蓋体を開蓋したときに折り畳まれ、前記蓋体を閉蓋したときに折畳み状態が解除されて伸張する弾性フィンとすることができる。
【発明の効果】
【００１７】
本発明の大気環境情報報知装置は、自然に沈降してくる大気中のパーティクルを検知するセンサの開口部を覆うように筐体の取入れ口に設けた蓋体の開蓋動作において、取入れ口を介してセンサの検出空間入口である開口部が全開したときに測定実行の指示を受け付け、該開口部の一部が蓋体によって塞がれているときは測定を実行しないスイッチ手段を備えたものとなっている。
【００１８】
ゆえに、蓋体の開蓋動作において、蓋体が検出空間の入口（すなわち、センサの開口部）の一部を覆っている不十分な測定環境状態の場合はスイッチが動作せず、検出空間の入口が全開（すなわち、センサの開口部が全て露呈）した十分な測定環境状態となったときに、自動的にスイッチが動作してセンサでの測定を実行するものとなる。しかも、本装置の不使用（非測定）時には、蓋体によって取入れ口を閉塞することでセンサの開口部を覆い、検出空間内にパーティクルが溜まってしまうことを防ぐことができる。
【００１９】
したがって、大気中の汚れの度合い、すなわち、大気中に存在するパーティクル量を正確に測定し、今いる周囲環境の適否を容易に確認することができる大気環境情報報知装置を提供することができる。
【図面の簡単な説明】
【００２０】
【図１】本発明に係る大気環境情報報知装置の外観を示す図であり、（Ａ）蓋体を閉めた状態を示す平面図、（Ｂ）蓋体を開けた状態を示す平面図である。
【図２】図１に示す大気環境情報報知装置において、蓋体の開蓋動作によってセンサでの測定を実行する状態を模式的に順次示す図であり、（Ａ）蓋体が閉まってスイッチが動作しない（ＯＦＦ）状態、（Ｂ）蓋体が全開してセンサの開口部が全て露呈してスイッチが動作する（ＯＮ）状態、（Ｃ）蓋体がセンサの開口部の一部を覆ってスイッチが動作しない（ＯＦＦ）状態、（Ｄ）蓋体が完全に閉まってスイッチが動作しない（ＯＦＦ）状態、をそれぞれ示す概略側断面図である。
【図３】本発明に係る大気環境情報報知装置の内部構成の概略を示す回路ブロック図である。
【図４】本発明に係る大気環境情報報知装置に用いるセンサの構造を模式的に示す概略平面図である。
【図５】本発明に係る大気環境情報報知装置の動作を説明するフローチャート図である。
【図６】本発明に係る大気環境情報報知装置で算出した環境指標値と指標値レベルとの関係を説明する表を示す図である。
【図７】本発明に係る大気環境情報報知装置で算出した環境指標値に基づく指標値レベルと環境報知情報との関係を説明する表を示す図である。
【図８】本発明に係る大気環境情報報知装置において、センサの検出空間内に侵入したパーティクルを除去する風力発生手段として弾性フィンを設けた状態を模式的に順次示す図であり、（Ａ）蓋体が閉まって弾性フィンが伸張している状態、（Ｂ）蓋体が少し開いて弾性フィンが折り畳まれる状態、（Ｃ）蓋体がさらに開いて弾性フィンが完全に折り畳まれる状態、（Ｄ）蓋体が閉められて弾性フィンの折畳み状態が解除されて伸張する状態、をそれぞれ示す概略側断面図である。
【図９】図８に示す弾性フィンが蓋体を閉めることで勢いよく伸張する状態を模式的に順次示す図であり、（Ａ）蓋体が開いて弾性フィンが折り畳まれた状態、（Ｂ）蓋体が閉められたがフックにより弾性フィンが係止されて折り畳み状態が維持されている状態、（Ｃ）蓋体がさらに閉められて突起によって係止フックによる弾性フィンの折り畳み状態が解除される状態、（Ｄ）弾性フィンの折り畳み状態が解除されて弾性フィンが伸張した状態、をそれぞれ示す概略側断面図である。
【図１０】本発明に係る大気環境情報報知装置において、蓋体の他の開蓋動作によってセンサでの測定を実行する状態を模式的に順次示す図であり、（Ａ）蓋体が閉まってスイッチが動作しない（ＯＦＦ）状態、（Ｂ）蓋体が全開してセンサの開口部が全て露呈してスイッチが動作する（ＯＮ）状態、（Ｃ）蓋体がセンサの開口部の一部を覆ってスイッチが動作しない（ＯＦＦ）状態、（Ｄ）蓋体がセンサの開口部を完全に覆ってスイッチが動作しない（ＯＦＦ）状態、をそれぞれ示す概略側断面図である。
【発明を実施するための形態】
【００２１】
以下、図面を参照しながら、本発明の大気環境情報報知装置について説明する。
本実施の形態では、センサを内包する筐体の上面に沿う方向に移動するスライド式の蓋体を備える大気環境情報報知装置を例として説明する。
【００２２】
図１乃至図３に示すように、本実施の形態に係る大気環境情報報知装置（以下、単に「装置」という。）１０は、筐体１と、蓋体２と、センサ３と、計時部４と、環境報知情報記憶部５と、スイッチ６と、制御部７と、報知部８とを少なくとも備える。
【００２３】
本装置１０は、自分が今いる周囲の環境や、細かい地域ごとの適否を、いつでも、どこでも知ることができるようにしたものである。したがって、筐体１は、ユーザが容易に持ち運ぶことができる大きさ及び形態をしている。
【００２４】
筐体１は、自然に沈降してくる大気中のパーティクルを取り込むため、鉛直方向上向きに開口する取入れ口１１を有し、内部に、センサ３と、計時部４と、環境報知情報記憶部５と、スイッチ６と、制御部７と、報知部８とを保持する。
【００２５】
蓋体２は、筐体１に設けられた取入れ口１１の外側表面に設けられ、この取入れ口１１の開放又は閉塞を行う。筐体１の取入れ口１１に蓋体２を設けることで、本装置１０を使用しないときにセンサ３内に異物が侵入したり、パーティクルが溜まったりすることを防止できる。ゆえに、本装置１０の使用時に誤測定を起こす虞を解消することができる。
図１において、蓋体２は、筐体１の上面に開口する取入れ口１１に沿って摺動（移動）するスライド式のものとして示されている。
【００２６】
センサ３は、周囲の環境情報を測定する処理を行うものであり、筐体１の取入れ口１１に相当する位置に、検出空間入口である開口部３３を備える。すなわち、センサ３は、該開口部３３より侵入した自然に沈降してくる大気中のパーティクルを検知し、その量（数）を測定する処理を行う。
【００２７】
この開口部３３は、蓋体２が開かれるために移動する距離と同じかそれ以下の大きさをしたものとなっている。すなわち、蓋体２が開かれることで、センサ３の開口部３３は全て露呈するものとなっている。
ゆえに、後述するように、蓋体２が移動してスイッチ６がＯＮとなったとき、センサ３の開口部３３は全開（全て露呈）されたものとなり、センサ３はパーティクル量の測定を実行する。逆に、蓋体２が移動してスイッチ６がＯＦＦとなったとき、センサ３の開口部３３は少なくとも一部が蓋体２で覆われたされたものとなるので、センサ３はパーティクル量の測定を停止する。
【００２８】
センサ３としては、たとえば、光学式のダストセンサを挙げることができる。このダストセンサ３は、たとえば、図４に示すように、光を放射する発光素子３１と、光を受ける受光素子３２とを、それぞれの光軸が交差する形でケース３０内に配置し、パーティクルが侵入する検出空間Ｓに向けて発光素子３１から発せられ、パーティクルで反射した光（散乱光）を受光素子３２にて受光することによりパーティクル数を検知（カウント）するものである。ケース３０の上面には、筐体１の取入れ口１１に相当する位置に、該取入れ口１１より小さい大きさをした開口部３３が設けられ、この開口部３３を介して検出空間Ｓに侵入したパーティクルを検知する。
【００２９】
センサ３において、発光素子３１としては、たとえば、ＬＥＤ(Light
Emitting Diode：発光ダイオード)を用い、受光素子３２としては、たとえば、フォトダイオードを用いることができる。
【００３０】
また、本装置１０において、検知部３は、１μｍ以上のパーティクルを検知する。これは、パーティクルの大きさが１０μｍ以上の場合は３０分以内に床に落ち、同１〜１０μｍでは約１０時間で床に落ち、１μｍ以下の場合は床に落ちず、空中を浮遊し続けるとされているためである。
【００３１】
計時部４は、経過時間を計測する処理を行うものである。この計時部４としては、たとえば水晶振動子と発振回路ＩＣとを組み合わせる（もしくは１つのパッケージに内蔵する）ことで水晶発振子を使用して発振周波数を制御する３２．７６８ｋＨｚ水晶発振器を挙げることができる。
【００３２】
環境報知情報記憶部５は、ダストセンサ３で検知されたパーティクル量に基づいて算出される環境指標値に応じた環境報知情報を記憶するものであり、たとえば、環境指標値情報と環境報知情報とを、互いに関連付けたデータテーブルとして記憶する。
【００３３】
スイッチ６は、測定実行の指示を受け付けてダストセンサ３等を作動させる、いわゆる電源スイッチである。
この電源スイッチ６は、図２に示すように、開蓋動作によって蓋体２がダストセンサ３の開口部３３の上面を覆うことなく全開したとき（すなわち、取入れ口１１を介してダストセンサ３の開口部３３の上面が露呈したとき）に、ダストセンサ３において測定を実行する指示を受け付ける。また、電源スイッチ６は、取入れ口１１の一部が蓋体２によって閉じられた（塞がれた）ときに、ダストセンサ３での測定を停止する指示を受け付ける。ゆえに、電源スイッチ６は、蓋体２を開くことにより検出空間Ｓの入口（センサ３の開口部３３）が全開した十分な測定環境状態となったときにＯＮとなり、検出空間Ｓの入口の一部を蓋体２が覆っている不十分な測定環境状態の場合はＯＦＦになる。
【００３４】
電源スイッチ６としては、たとえば、押圧することで引っ込み、該押圧を解除することで突出する自動復帰型の凸型ボタン６ａを有し、凸型ボタンを押している間だけ電気的に接続し（ＯＮとなり）、凸型ボタンを押すのを止めると電気的な接続が解除される（ＯＦＦになる）、いわゆる自動復帰型の押しボタンスイッチとすることができる。
図２において、凸型ボタン６ａは、上面（押圧面）の高さが蓋体２の裏面の高さより徐々に高くなる傾斜面を有したものとして示されている。また、蓋体２は、その裏面の一部が後方へ向けて徐々に突出した後端部２ｂを有したものとして示されている。ゆえに、蓋体２の開蓋動作に伴ってその後端部２ｂが凸型ボタン６ａの上面を徐々に押下げ、蓋体２が全開したとき、凸型ボタン６ａが完全に押圧されて電源スイッチ６がＯＮになるものとして示されさている。
【００３５】
したがって、図２（Ｂ）のように、蓋体２の前端部２ａがダストセンサ３の開口部３３を覆うことなく全開し、蓋体２の後端部２ｂが凸型ボタン部６ａを押すと、電源スイッチ６はＯＮとなり電気的に接続されるものとなる。また、図２（Ａ）及び（Ｄ）のように、蓋体２が取入れ口１１を完全に閉塞したり、図２（Ｃ）のように、蓋体２の前端部２ａがダストセンサ３の開口部３３の少なくとも一部を覆ったりして、蓋体２の後端部２ｂが凸型ボタン部６ａを押すのを止めると、電源スイッチ６はＯＦＦになって電気的な接続が解除されるものとなる。
【００３６】
制御部７は、電源スイッチ６が測定実行の指示を受け付けた（すなわち、電気的に接続された）とき、ダストセンサ３でのパーティクル量の測定の実行を指示する処理を行う。また、制御部７は、ダストセンサ３で測定したパーティクル量に基づいて所定の環境指標値を算出する処理を行う。すなわち、制御部７は、ダストセンサ３において検出したパーティクル数に基づいて環境指標値としてのダスト指標を算出する。
【００３７】
この制御部７は、たとえば、電源スイッチ６がＯＮされることによって周囲の環境情報の測定実行の指示を受付けたとき、計時部４で計測された経過時間に基づいて一定時間ごとにダストセンサ３での測定の実行を継続的に繰り返し指示する処理を行う機能を備える。したがって、制御部７は、たとえば、ダストセンサ３において１０秒間に複数回検出したパーティクル数の平均値を求め、この平均値に基づいて単位体積当たりの量に換算し、環境指標値としてダスト指標を算出する。
【００３８】
また、制御部７は、環境指標値（ダスト指標）を算出した後、当該環境指標値に基づき、環境報知情報記憶部５を参照して環境報知情報を特定する処理を行う。すなわち、環境報知情報記憶部５を参照して、ダスト指標に基づき指標値レベルを決定する。
【００３９】
ここで、ダスト指標としては、たとえば、ハウスダストや花粉、黄砂、ＰＭ２．５など空気中の汚れの度合いを示すものとすることができる。ゆえに、制御部７は、今いる周囲環境の汚れの度合いを示す環境指標値を算出する処理を行う。
【００４０】
この制御部７は、たとえば、ＣＰＵ７１やメモリ、ＲＯＭ(Read Only Memory）７２、ＲＡＭ（Random Access Memory）７３、各種回路等を具備するＩＣとすることができ、プログラム記憶部（ＲＯＭ）に記憶されたプログラムに従い、本装置１０の各構成要素を統制制御し、プログラム処理を実行する。ゆえに、プログラム記憶部は、本装置１０が使用する各種プログラムを記憶している。また、制御部７に具備されたＲＯＭ７２が環境報知情報記憶部５として機能するものとしても良い。
【００４１】
また、本装置１０は、電源スイッチ６が測定実行の指示を受け付けているとき、計測している経過時間を解除（リセット）してダストセンサ３での測定をやり直すリセットスイッチ１６をさらに備える。
【００４２】
この場合、制御部７は、リセットスイッチ１６が押圧されることで、周囲の環境情報の測定の指示を受付け、ダストセンサ３での測定の実行を指示する処理を直ちに行うものとする機能をさらに備える。すなわち、制御部７は、一定時間ごとに周囲の環境情報の測定を継続的に繰り返す処理がなされている途中であっても、リセットスイッチ１６が押圧された場合、測定時間を再設定（リセット）して直ちにダストセンサ３での測定の実行を指示する処理を行うものとなっている。
【００４３】
また、制御部７は、電源スイッチ６が測定解除の指示を受け付けた（すなわち、電気的な接続が解除された）とき、ダストセンサ３でのパーティクル量の測定を停止する機能をさらに備える。
【００４４】
さらに、制御部７は、後述するように、環境報知情報に応じた報知部８での報知を行う処理と共に、報知部８での報知を所定時間後に停止させる処理を行う機能をさらに備える。本実施の形態では、給電用の電源部９として３Ｖのボタン型電池を備えている。これにより、報知部８において費やされる電源部９の消費電力を抑えることができる。
【００４５】
報知部８は、制御部７で決定された環境報知情報に応じた報知を行う処理を行うものである。この報知部８としは、たとえば、環境報知情報に応じて点灯する色彩が変化する発光器８１とすることができる。この発光器８１としては、たとえば、発光ダイオード（ＬＥＤ：Light Emitting Diode）を挙げることができる。
【００４６】
また、報知部８は、発光器８１を複数設け、環境報知情報のランクに応じて点灯する発光器７１の報知数が変化するものとしても良い。
また、発光ダイオード（発光器）８１の発光色には、緑、黄、橙、赤等がある。ゆえに、環境報知情報のランクに応じて点灯する発光ダイオード（発光器）８１の色彩と報知数が変化するものとしても良い。
これにより、点灯する発光器８１の色彩や、点灯する発光器８１の報知数によって、環境の適否を視覚的に容易に認識させることができる。
【００４７】
さらに、報知部８は、発光器８１に代えてもしくは発光器８１と共に、制御部７で算出された環境指標値が一定の値を超えたときに発鳴する警報器８２を備えるものとしても良い。
これにより、発鳴するブザー音によって、環境の適否を聴覚的に容易に認識させることができる。
【００４８】
図１において、４つの発光ダイオード（発光器）８１ａ，８１ｂ，８１ｃ，８１ｄを用いた報知部８だけが示されているが、本実施の形態における装置１は、図３に示すように、筐体１０の内部に警報器８２を用いた報知部８も具備している。
【００４９】
次に、上述した本装置１０の動作の一例を、図を参照しながら説明する。
まず、図５に示すように、筐体１の取入れ口１１を介してダストセンサ３の開口部３３が全開するように蓋体２を開くことで、電源スイッチ６をＯＮする（Ｓ１０）。
すると、制御部７が、電源スイッチ６がＯＮされた指示を受け付け、制御部７は、ダストセンサ３に対してパーティクル量（数）を測定する指示を行うと共に、計時部４から時間の計測情報を得て経過時間をカウントし、パーティクル量の測定を開始する（Ｓ２０）。すなわち、図２（Ｂ）に示すように、電源スイッチ６の凸型ボタン６ａが押圧される操作が行われると、電源スイッチ６が電気的に接続され、ダストセンサ３において、予め設定された所定時間におけるパーティクル量の測定を開示する。
【００５０】
引き続き、制御部７は、計時部４から電気的に接続された経過時間の計測情報を得て予め設定された所定時間（たとえば、１０分間）を経過したか否か判断する（Ｓ３０）。
その結果、制御部７が、所定時間を経過したと判断した場合（ＹＥＳ）、制御部７は、ダストセンサ３に対して測定を終了する指示し、該測定によって得られたパーティクル量情報をダストセンサ３から得て、該パーティクル量情報に基づいて環境指標値としてのダスト指標を算出する（Ｓ４０）。
【００５１】
一方、制御部７が、所定時間を経過していないと判断した場合（ＮＯ）、制御部７は、リセットスイッチ１６がＯＮされたか否か判断する（Ｓ３１）。すなわち、ダストセンサ３でのパーティクル量の測定中に、測定をやり直すリセットスイッチ１６が操作されたか否か判断する。
【００５２】
その結果、制御部７が、リセットスイッチ１６がＯＮされたと判断した場合（ＹＥＳ）、制御部７は、カウントしていた経過時間を初期状態に戻して、パーティクル量の測定を開始するステップ（Ｓ２０）に戻る。
一方、制御部７が、リセットスイッチ１６がＯＮされていないと判断した場合（ＮＯ）、制御部７は、経過時間のカウントを継続すると共に、所定時間経過したか否か判断するステップ（Ｓ３０）に戻る。
【００５３】
制御部７は、ダストセンサ３から得たパーティクル情報に基づいて環境指標値を算出すると、引き続き、算出した環境指標値に基づき、環境報知情報記憶部５を参照して環境報知情報を決定する（Ｓ５０）。
制御部７は、この環境指標値に応じた発光器（ＬＥＤ）８１を点灯すると共に、環境指標値に応じて警報器（ブザー）８２の発鳴を行う（Ｓ６０）。
【００５４】
ここで、制御部７における環境報知情報の特定方法としては、環境報知情報記憶部５が、環境指標値情報と環境報知情報とを互いに関連付けた環境報知情報データテーブルを備え、これらのデータテーブルに基づいて行うものとする。このデータテーブルは、たとえば、図６に示すように、環境指標値の範囲とこれに対応する指標値レベルとを互いに関連付けた環境指標値情報データテーブルと、図７に示すように、指標値レベルと環境報知情報とを互いに関連付けた環境報知情報データテーブルを備えたものとすることができる。
【００５５】
図６では、算出した環境指標値（ダスト指標）と、この環境指標値に対応する指標レベルとからなる環境指標値情報が示されている。
すなわち、図６において、制御部６で算出した環境指標値が０以上２０Ｋｐｃｓ／Ｌ以下の場合、同環境指標値が２１以上３０Ｋｐｃｓ／Ｌ以下の場合、同環境指標値が３１以上４０Ｋｐｃｓ／Ｌ以下の場合、同環境指標値が４１Ｋｐｃｓ／Ｌ以上の範囲を、それぞれ範囲として設定する。そして、この環境指標値が０以上２０Ｋｐｃｓ／Ｌ以下であれば、指標値レベルは「少ない」を意味する「１」、同環境指標値が２１以上３０Ｋｐｃｓ／Ｌ以下であれば、指標値レベルは「やや多い」を意味する「２」、同環境指標値が３１以上４０Ｋｐｃｓ／Ｌ以下であれば、指標値レベルは「多い」を意味する「３」、そして、同環境指標値が４０Ｋｐｃｓ／Ｌ以上であれば、指標値レベルは「非常に多い」を意味する「４」、として規定されることが示されている。
【００５６】
また、環境報知情報データテーブルとしては、たとえば、図７に示したものとすることができる。
図７においては、報知手段を発光器（ＬＥＤ）及び警報器（ブザー）とし、環境報知情報として、指標値レベルに応じて点灯するＬＥＤの色彩が変化すると共に、ブザーの発鳴有無及び発鳴の仕方を規定したものとして示されている。たとえば、指標値レベルが「１」であれば、ＬＥＤが「緑色」に点灯し、ブザーは発鳴しない、指標値レベルが「２」であれば、ＬＥＤが「黄色」に点灯し、ブザーは発鳴しない、指標値レベルが「３」であれば、ＬＥＤが「赤色」に点灯すると共に、ブザーは短く５回発鳴する、そして、指標値レベルが「４」であれば、ＬＥＤが同じく「赤色」に点灯すると共に、ブザーは１０秒間連続して発鳴する、といった指示を行うことが示されている。
【００５７】
したがって、発光器（ＬＥＤ）８１の点灯による報知と、警報器（ブザー）８２の発鳴による報知は、制御部７が、環境指標値を算出した後、環境報知情報記憶部５を参照して環境報知情報を決定することでほぼ同時に行うことができる。
【００５８】
本装置１０では、指標値レベルに応じて点灯する発光器（ＬＥＤ）８１の色彩及び報知数が共に変化するものとなっている。
なお、本実施の形態では、環境指標値情報と環境報知情報とが互いに関連付けられたデータテーブルが、説明の便宜上、図６及び図７にて分かれて示されているが、制御部７で算出した環境指標値に基づいて報知する環境報知情報が決定されるのであれば一つにまとめられたものとしても良い。
【００５９】
引き続き、制御部７は、算出した環境指標値に基づいて環境報知情報を報知すると、所定時間（たとえば、１０秒間）経過後、発光器（ＬＥＤ）８１の点灯を消すと共に、警報器（ブザー）８２の発鳴を停止する（Ｓ７０）。
【００６０】
その後、制御部７は、電源スイッチ６がＯＦＦされたか否か判断する（Ｓ８０）。すなわち、図２（Ｃ）又は（Ｄ）に示すように、電源スイッチ６の凸型ボタン６ａの押圧が解除される閉蓋操作が行われて、センサ３の開口部３３の一部が蓋体２によって覆われていないか確認する。
【００６１】
その結果、制御部７が、電源スイッチ６がＯＦＦされたと判断した場合（ＹＥＳ）、制御部７は、測定を停止して本装置での一連の動作を終了する（Ｓ９０）。
一方、制御部７が、電源スイッチ６がＯＦＦされていないと判断した場合（ＮＯ）、制御部７は、パーティクル量の測定を開始するステップ（Ｓ２０）に戻り、計時部４から時間の計測情報を得て経過時間を再度カウントし、上述した一連の動作を繰り返す。
【００６２】
以上のように本装置では、ダストセンサ３で検出したパーティクル数から単位体積当たりのパーティクル量である環境指標値を算出し、この環境指標値に基づいて、パーティクル数を、たとえば、少ないことを意味する「（レベル）１」や、やや多いことを意味する「（レベル）２」、多いことを意味する「（レベル）３」、非常に多いことを意味する「（レベル）４」といった段階的に区分けし、区分けした環境指標値に応じて特定した環境報知情報に基づいて、ＬＥＤランプによる発光の色彩や発光するランプ数、及び警報音で、今いる周囲の環境の適否を知らせるようにしたものである。
したがって、大気中の汚れの度合いを認識するのに有効に利用することができる。
【００６３】
また、本装置においては、使用中にダストセンサ３内に溜まったパーティクルを飛散させる風力発生手段をさらに備えたものとすると望ましい。
この風力発生手段として、たとえば、図８に示すように、蓋体２を開いたときに、蓋体２の裏面に折り畳まれ、蓋体２を閉めたときに折畳み状態が解除されて勢いよく伸張する弾性フィン２１とすることができる。この際、蓋体２の裏面に折畳み状態の弾性フィン２１を収容するため、筐体１は、蓋体２の裏面において外面取入れ口１１へ向かって蓋体２との間隔が拡がるようなスライド面１２を備えている。
この弾性フィン２１としては、たとえば、容易に折畳み（二つ折り）可能であり、折畳み状態を解除することで素早く元の状態に戻る付勢力を有する、板状の金属片や樹脂片等を挙げることができる。
【００６４】
図８において、蓋体２が閉まっているときは弾性フィン２１が伸張し（図８（Ａ）を参照）、蓋体２が少し開いたとき弾性フィン２１が筐体１のスライド面１２に当接して折り畳まれ（図８（Ｂ）を参照）、蓋体２がさらに開いたとき弾性フィン２１が蓋体２の裏面と筐体１のスライド面１２との間に挟まれるように完全に折り畳まれ（図８（Ｃ）を参照）、その後、蓋体２が閉められたときに弾性フィン２１の折畳み状態が解除されて元の状態に戻るように伸張する（図８（Ｄ）を参照）、それぞれの状態が示されている。
【００６５】
また、弾性フィン２１を用いた風力発生手段においては、蓋体２が閉まる動作に追従して徐々に伸張することなく、蓋体２が閉まった後に勢いよく伸張するように、たとえば、図９に示すように、弾性フィン２１の折畳み状態を一時的に係止しておくフック２２や、このフック２２による係止状態を容易に解除するための突起２３を備えるものとすると望ましい。
【００６６】
図９において、蓋体２が開いて弾性フィン２１が二つに折り畳まれると共に、その先端２１ａがフック２２に係止され（図９（Ａ）を参照）、蓋体２が閉められても弾性フィン２１の先端２１ａがフック２２に係止されることで弾性フィン２１が折り畳み状態を維持され（図９（Ｂ）を参照）、蓋体２が完全に閉められることで弾性フィン２１の先端２１ａが突起２３に当接し、蓋体２と弾性フィン２１との間に突起２３が侵入して間隔を拡げるようにフック２２による弾性フィン２１の先端２１ａの係止が解除し（図９（Ｃ）を参照）、その後、折畳み状態が解除された弾性フィン２１が元の状態に戻るように伸張し、下方に向かって風を起こす（図９（Ｄ）を参照）、それぞれの状態が示されている。
【００６７】
このように風力発生手段（弾性フィン２１）を備えたものとすることにより、開蓋することでダストセンサ６内に溜まったパーティクルを、装置１０の使用終了に伴う閉蓋操作の時に自動的に飛散させてダストセンサ６内から除去することができる。ゆえに、次に装置１０を使用するとき、前回の使用時に溜まったパーティクルによって誤検知を生じてしまう虞を解消し、常に正確な測定が行われるようにすることができる。
【００６８】
なお、この風力発生手段は、誤検知を生じてしまう虞のあるパーティクルを事前に除去することができるものであれば特に限定されるものではなく、弾性フィンに代えて、モータによって自動的に回転する電動ファン等を用いるようにしても良い。
【００６９】
また、上述した実施の形態においては、センサを内包する筐体の上面に沿う方向に移動するスライド式の蓋体を備える大気環境情報報知装置を例として説明したが、本発明における装置での蓋体の構造はこれに限定されない。
したがって、本発明では、筐体に設けられた取入れ口の上面に沿う方向に回転軸を有して起立・倒伏する回動式の蓋体を備えるものとすることもできる。
【００７０】
このとき電源スイッチ６は、開蓋動作によって蓋体２がセンサ３の開口部３３の上方空間を遮ることなく全開したときに、その後端部２ｂによって測定実行の指示を受け付けるものである。電源スイッチ６としては、スライド式の蓋体の場合と同様に、凸型ボタンを押している間だけ電気的に接続し（ＯＮとなり）、凸型ボタンを押すのを止めると電気的な接続が解除される（ＯＦＦになる）自動復帰型の押しボタンスイッチとすることができる。
【００７１】
図１０において、蓋体２の後端部２ｂが凸型ボタン部６ａを押しているＯＮの間だけ電気的に接続され（図１０（Ｂ）を参照）、蓋体２の後端部２ｂが凸型ボタン部６ａを押すのを止めてＯＦＦになり、蓋体２の前端部２ａがダストセンサ３の開口部３３の少なくとも一部を覆って閉塞すると電気的な接続が解除される状態が示されている（図１０（Ａ）、（Ｃ）及び（Ｄ）を参照）。
【００７２】
したがって、本発明においては、蓋体２の構造（開蓋動作）に関係なく、蓋体２が検出空間Ｓの入口（すなわち、センサ３の開口部３３）の一部を覆っている不十分な測定状態の場合は電源スイッチ６が動作せず、検出空間Ｓの入口が全開（すなわち、センサ３の開口部３３が全て露呈）した十分な測定状態となったときに、自動的に電源スイッチ６が動作してセンサ３での測定を実行するものとなる。
【産業上の利用可能性】
【００７３】
本発明は、周囲の環境の適否を報知する装置を扱う業種において産業上有用であり、特に、アレルギー性鼻炎、気管支喘息、アトピー性皮膚炎、等のアレルギー（性）疾患が発症し易い環境であるか否かといった情報を事前に報知する装置の市場において有用である。
【符号の説明】
【００７４】
１  筐体、２  蓋体、３  センサ、４  発振器（計時手段）、５  環境報知情報記憶部、６  電源スイッチ、６ａ  凸型ボタン部、７  制御部、８  報知部、９  電源、１０  大気環境情報報知装置、１１  取入れ口、１２  スライド面、１６  リセットスイッチ、２１  弾性フィン（風力発生手段）、２２  フック、２３  突起、３０  ケース、３１  発光素子、３２  受光素子、３３  開口部、７１  ＣＰＵ、７２  ＲＯＭ（環境報知情報記憶手段）、７３  ＲＡＭ、８１  発光器（報知手段：ＬＥＤ）、８２  警報器（報知手段：ブザー）。
【図１】
2014228309.tif 000003
【図２】
2014228309.tif 000004
【図３】
2014228309.tif 000005
【図４】
2014228309.tif 000006
【図５】
2014228309.tif 000007
【図６】
2014228309.tif 000008
【図７】
2014228309.tif 000009
【図８】
2014228309.tif 000010
【図９】
2014228309.tif 000011
【図１０】
2014228309.tif 000012